(57)【要約】【課題】  レンジフードファンのインテリア性を引き出し、豪華性を付与して、キッチンの使用感を高揚させ、ファッションとして楽しい雰囲気を醸し出すレンジフードファン用の照明装置を提供する。【解決手段】  フード体１の天蓋１１に設けた光透過性の無色または有色なガラス板６と、そのガラス板６を下方から照射する照明具とを備え、ガラス板６に細工される光半透過部１６や光不透過部の面積，位置，透過率等を設定することによって、その光半透過部１６からホンノリとした柔らかい光を、またクリア部２６からガラス質特有の澄んだ質感を伴って明るい光を設置箇所の雰囲気（暗さ具合）、レンジフードファンＡ固有のデザイン性、大きさ等に合った適度な照度で照射して、レンジフードファンＡを効果的にライトアップすると共に従来暗い雰囲気であったキッチン天井部分を明るくする。【選択図】  図１
2005209444.tif 000002
【特許請求の範囲】
【請求項１】
キッチンの加熱調理器具上方に設置され調理で発生する油煙、廃ガスを捕集排気するレンジフードファンのフード体の天蓋に設けられる照明装置であって、前記天蓋に設けた光透過性のガラス板と、そのガラス板を下方から照射する照明具とを備え、該ガラス板の所望箇所にクリア部と共に光半透過部及び／または光不透過部を設けて、該クリア部の面積，位置、光半透過部の面積，位置，その透過率、光不透過部の面積，位置等の選定で、照度、照射エリアを設定可能にしていることを特徴とするレンジフードファン用の照明装置。
【請求項２】
前記ガラス板を前記天蓋に載設していることを特徴とする請求項１記載のレンジフードファン用の照明装置。
【請求項３】
前記ガラス板を前記天蓋に天蓋縁から張り出すように載設し、該ガラス板の少なくとも縁部もしくは縁部周辺のクリア部を除いて前記光半透過部及び／または光不透過部を設けていることを特徴とする請求項１記載のレンジフードファン用の照明装置。
【請求項４】
前記フード体の天蓋が、少なくともその前側が下向きな傾斜面で構成され、その傾斜面に光半透過部やクリア部を配設していることを特徴とする請求項２または３記載のレンジフードファン用の照明装置。
【請求項５】
前記光半透過部は、アルミ蒸着、エッチング等の表面加工や塗装による処理で施され、その加工、処理具合で透過率が調整されることを特徴とする請求項１〜４いずれか１項記載のレンジフードファン用の照明装置。
【請求項６】
前記照明具として、下方用が兼用されることを特徴とする請求項１〜５いずれか１項記載のレンジフードファン用の照明装置。
【発明の詳細な説明】
【技術分野】
【０００１】
本発明はレンジフードファン用の照明装置、更に詳しくはキッチンの装飾的美感を向上させてキッチンに豪華性を付与するレンジフードファン用の照明装置に関するものである。
【背景技術】
【０００２】
従来のレンジフードファンは、調理時に煮焚き具合や焼き具合が見えるように加熱調理器具を照らす照明装置を備えている。
例えば、換気扇に人感センサーを設け、使用者を感知すると換気扇方向の明るさを調整する（特許文献１）。下方用の照明器具に空気清浄器を組み込む（特許文献２）。等の先行技術もその一例である。
【０００３】
しかしながら、先行技術は共に調理時に手元が明るくする主旨で照明装置が使用されている。
ところで、キッチンの天井部には蛍光灯等の照明器具が備えられ、キッチン全体に明るく照らすように設けられているが、一般的に複数の照明器具を設けることはなく、照明器具一つでキッチン全体を照射するようにキッチンのほぼ中央部に設けられており、特に夜間においては暗い雰囲気を拭いきれない。
そのため、暗い雰囲気の中にレンジフードファンが備え付けられているのが殆どである。
そして、キッチンの流し台はもとよりキッチン回りの設備についても年々デザインが進歩し、従来の機能性重視に加えて殊更華やかなインテリア性が重視される傾向になっている。
レンジフードファンもその例外ではなく、オールステンレス製の高級感を前面に打ち出した商品や、フードにガラスを設けた商品も登場しているものの、その高級感やデザイン性を有効に引き出す手段が提案されておらず、依然として機能性本位から脱却できず、その高級感やデザイン性を有効に引き出せないのが現実であった。
【特許文献１】特開平８−２００７５４号公報
【特許文献２】特開平９−２８２９３４号公報
【発明の開示】
【発明が解決しようとする課題】
【０００４】
本発明は上記従来事情に鑑みてなされたもので、その目的とする処はレンジフードファンの高級感、インテリア性を引き出し、豪華性を付与して、キッチンの使用感を高揚させ、しかもファッションとして楽しい雰囲気を醸し出すレンジフードファン用の照明装置を提供することにある。
【課題を解決するための手段】
【０００５】
前記課題を解決するために講じた技術的手段は、キッチンの加熱調理器具上方に設置され調理で発生する油煙、廃ガスを捕集排気するレンジフードファンのフード体の天蓋に設けられる照明装置であって、前記天蓋に設けた光透過性のガラス板と、そのガラス板を下方から照射する照明具とを備え、該ガラス板の所望箇所にクリア部と共に光半透過部及び／または光不透過部を設けて、該クリア部の面積，位置、光半透過部の面積，位置，その透過率、光不透過部の面積，位置等の選定で、照度、照射エリアを設定可能にしていることを特徴とするレンジフードファン用の照明装置である（請求項１）。
前記ガラス板は、無色透明、有色透明どちらでも良いものである。
そして、そのガラス板は、フード体の天蓋上面を形成したり、天蓋上面に載設する。
ガラス板を設ける面積は、天蓋の全域に亘ったり、ほぼ全域に亘って設けるのが好適なものであるが、部分的であっても差し支えないものである。
そして、その光半透過部とは、光を全く透過しない光不透過と光を完全に透過する光透過との中間の透過率を意味するものではなく、両者間の任意な透過率を指すものであり、この光半透過部は、請求項５記載のようにアルミ蒸着、エッチング等の表面加工や塗装による処理具合で透過率が調整可能にするようにしている。
アルミ蒸着は、蒸着される金属の厚さで光の透過率を調整することができる。また、エッチングは、金剛砂という細かくて硬い砂を圧縮空気で吹き付けて削ることによって模様の濃淡、深さを微妙に調節して、その凹凸模様による乱反射も透過率に関与させることができる（例えば、サンドブラスト技法）。
また、光半透過部、光不透過部の面積，位置，その透過率等はレンジフードファンを設置する箇所の雰囲気（暗さ具合）、レンジフードファンが装飾部を有する場合には、その装飾部（特徴部）の位置、大きさ等を踏まえて設定するようにする。
前記照明具は、レンジフードファンに据付られている下方照明用のものを利用するのが好適であるが、専用の照明具を使用するのも任意なものである。
【０００６】
前記手段よれば、フード体の天蓋に設けたガラス板に細工される光半透過部や光不透過部の面積，位置，透過率等を設定することによって、その光半透過部からガラス質特有のホンノリとした柔らかい光を、またクリア部からガラス板内部で反射されて集光する明るい光を照射してレンジフードファンを効果的にライトアップすると共に従来暗い雰囲気であったキッチン天井部分を明るくもして、ムーディーな雰囲気の中でレンジフードファンを際立たせる。
【０００７】
そして、ガラス板を前記天蓋に載設していると、載設されたそのガラス板と、照明具だけを利用して請求項１記載の作用を奏することができる（請求項２）。
【０００８】
また、ガラス板を前記天蓋に天蓋縁から張り出すように載設し、該ガラス板の少なくとも縁部もしくは縁部周辺のクリア部を除いて前記光半透過部及び／または光不透過部を設けていると、光半透過部からばかりでなくガラス板の縁部や縁部周辺部分にガラス板内部で反射され配光（集光）されて照射する光が調理時の使用者の視覚にガラス質の澄んだ質感と共に自ずと捉えられ、豪華性と共に、ファッション性を引き出す（請求項３）。
前記張り出し部は、アイランドタイプでは天蓋の一辺、対向する両辺一対や天蓋の全ての辺に設けるのが好ましく、また背面部を壁に据付ける一般の片持ちタイプでは背面側を除く左右両辺や他３辺に設けるのが好ましいものである。
【０００９】
また、その天蓋の少なくともその前側が下向きな傾斜面で構成してあると、敢えて天蓋縁からガラス板を張り出さずとも、光半透過部から光の照射や、ガラス板内部で反射されて配光（集光）する光のクリアな質感部分からの照射が使用者の視野に自然に捉えられる（請求項４）。
【００１０】
そして、照明具として、下方用が兼用されると、便利なものである（請求項６）。
この照明具として、専用のものを使用するのも任意である。ＬＥＤを使用するのも自由なものである。
【発明の効果】
【００１１】
本発明は以上のように構成したから下記の利点がある。
（請求項１）フード体の天蓋に設けたガラス板に細工される光半透過部や光不透過部の面積、位置、透過率等の選定及びクリア部の面積、位置の選定で、照度、照射エリアを設定可能になるので、設置箇所の雰囲気（暗さ具合）、レンジフードファン独自のデザイン性や大きさに起因する適度な照度をもって光半透過部からガラス質特有のホンノリとした柔らかい光やガラス板内部で反射されて配光（集光）されるクリア部から澄んだ光を照射して、レンジフードファンを効果的にライトアップする上に、従来暗かったキッチン天井部分をムーディーに雰囲気で明るくできる。
従って、複数の照明具を操って、今日デザイン性を重視されつつあるレンジフードファンをライトアップする場合等に比して、ガラス質を介して照射する柔らかく落ち着いた雰囲気をキッチン天井回りに醸し出した上に、その優しい雰囲気の中でレンジフードファンをライトアップでき、デザイン性が重視されつつあるレンジフードファンの装飾的美感を有効に惹き出し、そのデザインやオールステンレス製の高級感を際立たせ、商品価値を大幅に向上することができる。
【００１２】
（請求項２）しかも、そのガラス板は天蓋に載設される構成であるので、照明具から光を取り入れる手段（窓口）等をフード体の天蓋に設けて対処するだけで良く、構造簡単である。
【００１３】
（請求項３）また、ガラス板を前記天蓋に天蓋縁から張り出すように載設し、該ガラス板の少なくとも縁部もしくは縁部周辺のクリア部を除いて前記光半透過部及び／または光不透過部を設けていると、調理時に使用者の視覚に入るクリア部（張り出し部）にガラス板内部で反射し配光されて照射する光とガラス質の澄んだ質感とが同調するファッション性をも直視で楽しめ、高級感を惹起し、豪華絢爛である。
しかも、特に縁部であるエッジを除いて光半透過部や光不透過部にした場合には、そのエッジ部分のみからガラス板内部で反射された光が集中して照射するので、イルミネーション（電飾）としても楽しめる。
【００１４】
（請求項４）更に、フード体における天蓋の少なくともその前側が下向きな傾斜面で構成されていると、光半透過部からの淡い光を照射の様子や、ガラス内部で反射され配光されて照射する光とガラス質の澄んだ質感とが同調するクリア部からの照射の様子等が、天蓋縁から張り出さないガラス板で楽しめ、ガラス板が有色透明の場合には、その一層煌びやかになる。
【００１５】
また、有色透明のガラス板を使用すると、そのガラス質の澄んだ質感と、ガラス質特有の柔らか風合いと、その色合いとが融合するので、レンジフードファンにとって全く新規な照明的美観を惹起することができる。
【発明を実施するための最良の形態】
【００１６】
次に本発明レンジフードファン用の照明装置の実施の形態を説明すると、図１及び図２は、本発明レンジフードファン用の照明装置の第１の実施の形態を、図３は、同第２の実施の形態を、図４は、同第３の実施の形態を示している。
【実施例１】
【００１７】
まず、図１及び図２に示す第１の実施の形態を説明すると、符号Ａは、レンジフードファンである。
【００１８】
レンジフードファンＡは、図２に示すように、下面を開放した扁平状のフード体１の天蓋１１中央部後半側に上下に伸縮可能なダクトカバー２１を立設し、そのダクトカバー２１内に収容して送風機ユニット（排気手段）２を前記天蓋１１に設置すると共に排気ダクト３をそのダクトカバー２１で視認不能に隠蔽し、フード体１内に整流板４を配設してその四周とフード体１の下側開放縁との間に油煙、廃ガスの吸込間隙Ｓを形成し、その油煙、廃ガスに含まれる油脂分を整流板４の背後に配設したグリスフィルタ５で除去する構成になっている。
【００１９】
また、レンジフードファンＡは、同図２に示すようにフード体１の天蓋１１前側部、詳細には前半側を前方に向かって下向に湾曲状に傾斜する傾斜面１１ａで形成してなり、該フード体１の天蓋１１に本発明照明装置Ｂを装設している。
【００２０】
照明装置Ｂは、フード体１の天蓋１１に設けられる光透過性のガラス板（耐熱性）６、照明具７からなっている。
【００２１】
ガラス板６は、図１に示すように前記天蓋１１の両側縁から帯板状に張り出す程度の面積を有し、前半部側を前記傾斜面１１ａに沿うように下向き湾曲状に形成した平面視矩形状を呈してなり、ダクトカバー２１を除くフード体１の天蓋１１部分に沿うように適当な固定手段（図示せず）を同天蓋１１に載設固定されている。
【００２２】
前記ガラス板６は、無色透明または有色透明であり、レンジフードファンＡ周りの雰囲気（暗さ具合）や、そのレンジフードファンＡが固有に有するデザイン、大きさ等を勘案して、光半透過部（図１では梨地部分）１６、光不透過部、クリア部２６が形成されている。
【００２３】
光半透過部１６は、アルミ蒸着、エッチング等の表面加工や塗装による処理等で形成されている。
即ち、アルミ蒸着は、周知の通り真空下でガラス板にアルミを溶解して蒸着させるもので、その薄さによって、光の透過率を調整することができる。
また、エッチングは、所望する表面加工範囲を除いてマーキングし、金剛砂を圧縮空気で吹き付けて、その表面加工範囲を微細な凹凸模様を刻設し、その圧縮空気圧や金剛砂の粒径等によって光の反射率、屈折率を調整して、透過率や乱反射具合を自由に設定できる。
そして、塗装においても、その塗料及びその塗着される濃度によって、透過率を調整することができる。
【００２４】
照明具７は、図２に示すように下方照明用のものを利用すべく、灯体１７上方のフード体天蓋１１部分に窓口２７を開口して構成されている。
【００２５】
図１は、天蓋１１からの張り出し部６ａである左右辺部分及び前記傾斜面１１ａに沿う帯板部分を除いてホンノリと透過する程度の透過率にして、中央部分からは僅かながら光を上方に透過しながら、左右辺の張り出し部６ａ及び傾斜面１１ａに沿う帯板部分にガラス板６内部で反射された光を配光（集光）し、それらクリア部（エッジ６ｂも含む）２６から集中して光を照射するようになっている。
これにより、前記中央部分からホンノリと淡い光が上方に照射してレンジフードファンＡをムーディーに照らして落ち着いた雰囲気を醸し出しながら、左右辺、傾斜面に沿う３辺のクリア部２６からガラス質の柔らかい澄んだ質感からの光の照射がレンジフードファンＡ周りのキッチン天井を明るく且つ華やかに照らし、レンジフードファンＡを際立たせるようになっている。
また、前記中央部分を光不透過部３６にして前記クリア部２６のみに集光して光が照射するようにしても良いものであり、ガラス質の柔らかい澄んだ質感からの鮮明な光の照射がレンジフードファンＡのファッション性を高めることができる。
【実施例２】
【００２６】
図３に示す第２の実施の形態について説明すると、この実施の形態は、前記光半透過部１６や光不透過部３６をガラス板６のエッジ６ｂを除いて形成して、エッジ（研かれたエッジ）６ｂ部分のみをクリア部２６にして、そのエッジ６ｂに集中してガラス板６内部で反射された光を配光させ、そのエッジ６ｂのみから光を照射するようにしている。エッジ６ｂのみならず、そのエッジ６ｂに連続する張り出し部６ａの１〜３センチの細帯状部分をクリア部２６にして、そこからも光を照射するようにしても良いものである。
このように構成することによって、一点から光がガラス質の澄んだ質感と共に照射するので、インパクトが強くレンジフードファンＡとしてファッション性が更に高められ、イルミネーションとしても楽しめる。
【実施例３】
【００２７】
更に図４に示す第３の実施の形態は、クリア部２６と、光半透過部１６または光不透過部３６とを交互に平行状に配設したものである。
所謂縞（横縞や縦縞）模様をもって半光透過部１６または光不透過部３６とクリア部２６とを設けている。
【００２８】
上述する各実施例におけるガラス板６の下面においては、窓口２７と相対する部分を除いて光不透過部３６を前記表面加工や塗装による処理で形成して、光半透過部１６やクリア部２６に光がガラス板内部での反射で配光（集光）されるように構成するのが好ましいものである。
【００２９】
また、前記する各実施例は、あくまで実施の数例であり、クリア部２６の面積，位置、光半透過部１６の面積，位置，その透過率、光不透過部３６の面積，位置は、キッチン回りの暗さ具合、レンジフードファンＡのインテリア度（形状性）等を考慮して設定される。
【００３０】
そして、対象とするレンジフードファンについても、図示する形態に限定されるものではなく、平型レンジフードファン、ブーツ型レンジフードファン、オープンキッチン用レンジフードファン、アイランド型レンジフードファン等のあらゆるタイプのレンジフードファンにも等しく使用できるものである。
【図面の簡単な説明】
【００３１】
【図１】第１の実施の形態の使用状態を示す斜視図。
【図２】図１の縦断面図で拡大して示す。
【図３】第２の実施の形態の使用状態を示す斜視図。
【図４】第３の実施の形態の使用状態を示す斜視図。
【符号の説明】
【００３２】
Ａ：レンジフードファン                      １：フード体
Ｂ:照明装置                              １１：天蓋
６：ガラス板                              １６：光半透過部
２６：クリア部                            １１ａ：傾斜面
７：照明具                                ３６:光不透過部
【図１】
2005209444.tif 000003
【図２】
2005209444.tif 000004
【図３】
2005209444.tif 000005
【図４】
2005209444.tif 000006